(57)【特許請求の範囲】
【請求項１】
受信信号の周波数変換を行う変換部と、
前記変換部での周波数変換に用いられる発振信号を生成する発振信号生成部と、
前記変換部によって周波数変換された受信信号のカットオフ周波数より高い周波数帯域を減衰させる減衰部と、
前記変換部によって周波数変換された受信信号から隣接チャネルの受信信号を抽出する抽出部と、
前記抽出部によって抽出された隣接チャネルの受信信号の強度を計測する検波部と、
前記検波部によって計測された隣接チャネルの受信信号の強度に応じて前記減衰部のカットオフ周波数を設定するとともに、該設定されたカットオフ周波数に応じて前記変換部に流す第１の電流値及び前記発振信号生成部に流す第２の電流値の少なくとも一方を設定する制御部と、
を備えることを特徴とする受信機。
【請求項２】
前記制御部は、前記検波部によって計測された隣接チャネルの受信信号の強度が低くなるにつれて、前記減衰部のカットオフ周波数を高く設定するとともに、前記第１の電流値及び前記第２の電流値の少なくとも一方を低く設定する
ことを特徴とする請求項１に記載の受信機。
【請求項３】
前記制御部は、前記検波部によって計測された隣接チャネルの受信信号の強度が低くなるにつれて、前記減衰部のカットオフ周波数を高く設定するとともに、該カットオフ周波数の設定によるＥＶＭの改善分に相当して前記変換部におけるＥＶＭが悪化するまで前記第１の電流を低く設定するか、前記カットオフ周波数の設定によるＥＶＭの改善分に相当して前記発振信号生成部におけるＥＶＭが悪化するまで前記第２の電流を低く設定するか、又は前記カットオフ周波数の設定によるＥＶＭの改善分に相当して前記変換部及び前記発振信号生成部におけるＥＶＭが悪化するまで前記第１及び第２の電流を低く設定する
ことを特徴とする請求項２に記載の受信機。
【請求項４】
前記制御部は、前記検波部によって計測された隣接チャネルの受信信号の強度に基づいて、前記減衰部のカットオフ周波数と、前記第１の電流値及び前記第２の電流値の少なくとも一方とを演算する演算部と、
前記隣接チャネルの受信信号の強度に応じて前記減衰部のカットオフ周波数と前記第１の電流値及び前記第２の電流値の少なくとも一方とが対応付けられた制御テーブルから、前記検波部によって計測された隣接チャネルの受信信号の強度に対応する前記減衰部のカットオフ周波数と前記第１の電流値及び前記第２の電流値の少なくとも一方とを読み出す読み出し部と、
前記演算部によって演算された結果又は前記読み出し部によって読み出された結果の一方を選択する選択部と
を備えることを特徴とする請求項１に記載の受信機。
【発明の詳細な説明】
【技術分野】
【０００１】
本発明は、受信機に関する。
【背景技術】
【０００２】
従来、無線信号を受信する携帯電話機などの受信機では、Ｍｉｘｅｒによって受信信号の周波数変換を行い、周波数変換された受信信号の高周波成分をＬＰＦ（Low Pass Filter）によって減衰させた後、ベースバンド処理等を行うことが知られている。なお、Ｍｉｘｅｒでの周波数変換に用いられる発振信号はシンセサイザによって生成される。
【０００３】
このような受信機において、従来、無線信号の受信品質の指標としてＥＶＭ（Error Vector Magnitude）が用いられている。ＥＶＭの値は、例えば、Ｍｉｘｅｒで発生する直交誤差、シンセサイザで発生する位相雑音、及びＬＰＦで発生する群遅延等のパラメータに基づいて決められる。
【０００４】
ここで、従来の受信機では、受信信号のセグメント数に基づいて、発振信号の局発レベルを変えながら発振信号の周波数を変化させることにより、受信性能の劣化を抑制しつつ、低消費電力化を測ることが知られている。
【０００５】
また、従来の受信機では、受信信号の品質が良好な場合には、デルタシグマＡＤＣ（Analog to Digital Converter）のオーバーサンプリング周波数やディジタルフィルタの動作周波数を下げることにより、消費電力を削減させることが知られている。
【先行技術文献】
【特許文献】
【０００６】
【特許文献１】特開２００７−１４２８１９号公報
【特許文献２】特開２００７−２４３５０４号公報
【発明の概要】
【発明が解決しようとする課題】
【０００７】
しかしながら、上記先行技術文献に開示されている技術は、トータルのＥＶＭを劣化させずに受信機の消費電力を低減させることは考慮されていない。
【０００８】
すなわち、従来技術では、受信信号の隣接チャネルの影響を受けないようにするため、隣接チャネルの使用状況に関係なく、帯域外の信号を十分に減衰できるようなカットオフ周波数が固定して使用されていた。
【０００９】
このため、ＬＰＦにおけるフィルタ群遅延によるＥＶＭは一定の値となる。また、従来技術は、シンセサイザに流す電流及びＭｉｘｅｒに流す電流も固定されているため、シンセサイザの位相雑音によるＥＶＭ、及びＭｉｘｅｒの直交誤差によるＥＶＭも一定の値になる。よって、トータルのＥＶＭは一定の値となる。
【００１０】
この場合、トータルのＥＶＭは一定の値に保たれるが、シンセサイザ及びＭｉｘｅｒには、隣接チャネルの実際の使用状況に関係なく、隣接チャネルの信号強度が大きい状況を想定して設定された比較的大きな電流が流れる。このため、受信機の消費電力は比較的大きい状態で保たれるので、消費電力を低減させることが難しい。
【００１１】
一方、単にシンセサイザに流す電流又はＭｉｘｅｒに流す電流を小さくした場合には、消費電力は低減されるが、シンセサイザの位相雑音によるＥＶＭ又はＭｉｘｅｒの直交誤差によるＥＶＭが劣化することによって、トータルのＥＶＭも劣化するおそれがある。
【００１２】
開示の技術は、上記に鑑みてなされたものであって、トータルのＥＶＭを劣化させずに消費電力を低減させることができる受信機を実現することを目的とする。
【課題を解決するための手段】
【００１３】
本願の開示する受信機は、一つの態様において、受信信号の周波数変換を行う変換部と、前記ミキサの周波数変換に用いられる発振信号を生成する発振信号生成部とを備える。また、受信機は、前記ミキサによって周波数変換された受信信号のカットオフ周波数より高い周波数帯域を減衰させる減衰部と、前記ミキサによって周波数変換された受信信号から隣接チャネルの信号を抽出する抽出部とを備える。また、受信機は、前記抽出部によって抽出された隣接チャネルの信号の強度を計測する検波部を備える。また、受信機は、前記検波部によって計測された隣接チャネルの受信信号の強度に応じて前記減衰部のカットオフ周波数を設定するとともに、該設定されたカットオフ周波数に応じて前記変換部に流す第１の電流値及び前記発振信号生成部に流す第２の電流値の少なくとも一方を設定する制御部を備える。
【発明の効果】
【００１４】
本願の開示する受信機の一つの態様によれば、トータルのＥＶＭを劣化させずに消費電力を低減させることができる。
【図面の簡単な説明】
【００１５】
【図１】図１は、受信機の全体構成を示す図である。
【図２】図２は、Ｍｉｘｅｒとシンセサイザの電流選択の真理値表の一例を示す図である。
【図３】図３は、ＬＰＦのカットオフ設定選択の真理値表の一例を示す図である。
【図４】図４は、受信機のＥＶＭパラメータ構成の概要を示す図である。
【図５】図５は、ＥＶＭパラメータの振り分けの一例を示す図である。
【図６】図６は、制御部の構成を示す図である。
【図７】図７は、選択回路における制御信号選択の真理値表の一例を示す図である。
【図８】図８は、制御テーブルの一例を示す図である。
【図９】図９は、受信機の制御処理を示すフローチャートである。
【発明を実施するための形態】
【００１６】
以下に、本願の開示する受信機の実施形態を図面に基づいて詳細に説明する。なお、この実施形態により開示技術が限定されるものではない。例えば、以下の実施形態では、受信機の一例として携帯電話機を想定して説明するが、これに限らず、無線信号を受信可能な受信機であればよい。
【００１７】
図１は、受信機の全体構成を示す図である。図１に示すように、受信機１００は、アンテナ１０２、ＬＮＡ（Low Noise Amplifier）１０４、Ｍｉｘｅｒ１０６、ＬＰＦ１０８、及びシンセサイザ１１０を備える。また、受信機１００は、ＢＧＲ（Band Gap Reference）１１２、定電流回路１１４，１１６，１１８、及び電流選択回路１２０を備える。また、受信機１００は、カットオフ設定回路１２４，１２６，１２８、カットオフ選択回路１３０、ＢＰＦ（Band Pass Filter）１３２、及びＲＳＳＩ（Received Signal Strength Indicator）検波部１３４、及び制御部１４０を備える。
【００１８】
ＬＮＡ１０４は、アンテナ１０２を介して受信された無線信号を受信して増幅する低雑音増幅器である。ＬＮＡ１０４は、増幅された受信信号をＭｉｘｅｒ１０６へ出力する。
【００１９】
Ｍｉｘｅｒ１０６は、ＬＮＡ１０４で増幅された受信信号の周波数変換を行う周波数変換器である。また、Ｍｉｘｅｒ１０６は、シンセサイザ１１０で生成された発振信号の入力を受ける。そして、Ｍｉｘｅｒ１０６は、受信信号に対して発振信号を印加して、受信信号と発振信号を混合することにより、受信信号の周波数をベースバンド信号の周波数に変換する。Ｍｉｘｅｒ１０６には、電流選択回路１２０によって選択された電流が供給され、供給された電流によって受信信号の周波数変換を行う。
【００２０】
ＬＰＦ１０８は、Ｍｉｘｅｒ１０６によって周波数変換された受信信号のカットオフ周波数より高い周波数帯域を減衰させる減衰器である。ＬＰＦ１０８は、カットオフ選択回路１３０によって選択されたカットオフ周波数に基づいて、高周波数帯域を減衰させる。
【００２１】
シンセサイザ１１０は、Ｍｉｘｅｒ１０６での周波数変換に用いられる発振信号を生成する。シンセサイザ１１０は、所定の周波数で発振させた発振信号をＭｉｘｅｒ１０６へ出力する。シンセサイザ１１０には、電流選択回路１２０によって選択された電流が供給され、供給された電流によって発振信号の生成を行う。
【００２２】
ＢＧＲ１１２は、Ｍｉｘｅｒ１０６及びシンセサイザ１１０で用いられる電源用の基準電圧を生成する基準電圧発生回路である。ＢＧＲ１１２で生成された基準電圧は、定電流回路１１４，１１６，１１８へ供給される。
【００２３】
定電流回路１１４は、ＢＧＲ１１２から供給された基準電圧に基づいて定電流Ａを流す回路である。定電流回路１１６は、ＢＧＲ１１２から供給された基準電圧に基づいて定電流Ａよりも小さな定電流Ｂを流す回路である。定電流回路１１８は、ＢＧＲ１１２から供給された基準電圧に基づいて定電流Ｂよりも小さな定電流Ｃを流す回路である。
【００２４】
電流選択回路１２０は、定電流回路１１４，１１６，１１８によって流される定電流Ａ，Ｂ，Ｃの中から、制御部１４０から送信される制御信号Ｓ１及びＳ２に基づいて、Ｍｉｘｅｒ１０６へ供給する電流を選択する。また、電流選択回路１２０は、定電流回路１１４，１１６，１１８によって流される定電流Ａ，Ｂ，Ｃの中から、制御部１４０から送信される制御信号Ｓ３及びＳ４に基づいて、シンセサイザ１１０へ供給する電流を選択する。
【００２５】
カットオフ設定回路１２４は、ＬＰＦ１０８で用いられるカットオフ周波数Ａを設定する回路である。カットオフ設定回路１２６は、ＬＰＦ１０８で用いられ、カットオフ周波数Ａよりも高い周波数であるカットオフ周波数Ｂを設定する回路である。カットオフ設定回路１２８は、ＬＰＦ１０８で用いられ、カットオフ周波数Ｂよりも高い周波数であるカットオフ周波数Ｃを設定する回路である。
【００２６】
カットオフ選択回路１３０は、カットオフ設定回路１２４，１２６，１２８によって設定されるカットオフ周波数Ａ，Ｂ，Ｃの中から、制御部１４０から送信される制御信号Ｓ５，Ｓ６に基づいて、ＬＰＦ１０８で用いるカットオフ周波数を選択する。
【００２７】
ＢＰＦ１３２は、Ｍｉｘｅｒ１０６によって周波数変換された受信信号から隣接チャネルの周波数帯域の信号のみを通過させる帯域通過フィルタである。ＢＰＦ１３２は、隣接チャネルの周波数帯域の信号のみを通過させることにより、隣接チャネルの受信信号を抽出する。ＢＰＦ１３２は、抽出された隣接チャネルの受信信号をＲＳＳＩ検波部１３４へ出力する。なお、隣接チャネルとは、例えば、あるキャリアに割り当てられた周波数帯域を複数に分割した各チャネルのうち、受信機１００が受信すべき周波数帯域のチャネルに隣接する周波数帯域のチャネルのことである。
【００２８】
ＲＳＳＩ検波部１３４は、ＢＰＦ１３２によって抽出された隣接チャネルの受信信号の強度を計測する。ＲＳＳＩ検波部１３４は、計測された隣接チャネルの受信信号の強度を制御部１４０へ出力する。
【００２９】
制御部１４０は、ＲＳＳＩ検波部１３４によって計測された隣接チャネルの受信信号の強度に応じて、ＬＰＦ１０８で用いられるカットオフ周波数を設定する。また、制御部１４０は、設定されたカットオフ周波数に応じて、Ｍｉｘｅｒ１０６に流す第１の電流値、シンセサイザ１１０に流す第２の電流値を設定する。例えば、制御部１４０は、ＲＳＳＩ検波部１３４によって計測された隣接チャネルの受信信号の強度に応じて、制御信号Ｓ１，Ｓ２，Ｓ３，及びＳ４を設定して電流選択回路１２０へ出力する。また、制御部１４０は、ＲＳＳＩ検波部１３４によって計測された隣接チャネルの受信信号の強度に応じて、制御信号Ｓ５及びＳ６を設定してカットオフ選択回路１３０へ出力する。制御部１４０の詳細は後述する。
【００３０】
図２は、Ｍｉｘｅｒとシンセサイザの電流選択の真理値表の一例を示す図である。図２に示すように、電流選択用の真理値表３００は、Ｍｉｘｅｒ用電流３０２に対応して制御信号Ｓ１及びＳ２の真理値が設定され、シンセサイザ用電流３０４に対応して制御信号Ｓ３及びＳ４の真理値が設定されている。
【００３１】
真理値表３００に示すように、制御部１４０は、Ｍｉｘｅｒ１０６に定電流Ａを流す場合には、制御信号Ｓ１を「０」とする。この場合、制御部１４０は、制御信号Ｓ２を「０」又は「１」のいずれに設定することもできる。また、制御部１４０は、Ｍｉｘｅｒ１０６に定電流Ｂを流す場合には、制御信号Ｓ１を「１」とし、制御信号Ｓ２を「０」とする。また、制御部１４０は、Ｍｉｘｅｒ１０６に定電流Ｃを流す場合には、制御信号Ｓ１を「１」とし、制御信号Ｓ２を「１」とする。
【００３２】
また、制御部１４０は、シンセサイザ１１０に定電流Ａを流す場合には、制御信号Ｓ３を「０」とする。この場合、制御部１４０は、制御信号Ｓ４を「０」又は「１」のいずれに設定することもできる。また、制御部１４０は、シンセサイザ１１０に定電流Ｂを流す場合には、制御信号Ｓ３を「１」とし、制御信号Ｓ４を「０」とする。また、制御部１４０は、シンセサイザ１１０に定電流Ｃを流す場合には、制御信号Ｓ３を「１」とし、制御信号Ｓ４を「１」とする。
【００３３】
図３は、ＬＰＦのカットオフ設定選択の真理値表の一例を示す図である。図３に示すように、ＬＰＦ１０８で用いられるカットオフ周波数選択の真理値表４００は、カットオフ設定４０２に対応して制御信号Ｓ５及びＳ６の真理値が設定されている。
【００３４】
真理値表４００に示すように、制御部１４０は、ＬＰＦ１０８で用いられるカットオフ周波数を周波数Ａに設定する場合には、制御信号Ｓ５を「０」とする。この場合、制御部１４０は、制御信号Ｓ６を「０」又は「１」のいずれに設定することもできる。また、制御部１４０は、ＬＰＦ１０８で用いられるカットオフ周波数を周波数Ｂに設定する場合には、制御信号Ｓ５を「１」とし、制御信号Ｓ６を「０」とする。また、制御部１４０は、ＬＰＦ１０８で用いられるカットオフ周波数を周波数Ｃに設定する場合には、制御信号Ｓ５を「１」とし、制御信号Ｓ６を「１」とする。
【００３５】
図４は、受信機のＥＶＭパラメータ構成の概要を示す図である。図４において、ＥＶＭ２００は、従来の一般的な受信機におけるＥＶＭの概念を表し、ＥＶＭ２５０は本実施形態の受信機１００におけるＥＶＭの概念を表すものである。
【００３６】
まず、ＥＶＭ２００に示すように、従来の一般的な受信機では、シンセサイザの位相雑音のパラメータ２０２と、Ｍｉｘｅｒの直交誤差のパラメータ２０４と、ＬＰＦのフィルタ群遅延パラメータ２０６の二乗和平方根によって、トータルのＥＶＭが求められる。つまり、トータルのＥＶＭ＝ＳＱＲＴ（（シンセサイザの位相雑音のパラメータ２０２）＾２＋（Ｍｉｘｅｒの直交誤差のパラメータ２０４）＾２＋（ＬＰＦのフィルタ群遅延パラメータ２０６）＾２）となる。
【００３７】
一方、本実施形態の受信機１００は、制御部１４０によって、例えば隣接チャネルが使用されておらず隣接チャネルの受信信号の強度が低い場合には、ＬＰＦのカットオフ周波数を高く設定する。これにより、ＬＰＦのフィルタ群遅延パラメータが改善されて小さくなるので、ＬＰＦのフィルタ群遅延パラメータ２０６´は、ＬＰＦのフィルタ群遅延パラメータ２０６よりも小さくなる。
【００３８】
したがって、ＬＰＦのフィルタ群遅延パラメータ２０６´の改善分だけ、シンセサイザの位相雑音のパラメータ２０２´と、Ｍｉｘｅｒの直交誤差のパラメータ２０４´とが悪化したとしても、トータルのＥＶＭは変わらない。言い換えれば、例えばシンセサイザ１１０及びＭｉｘｅｒ１０６に流す電流を少なくすることにより、シンセサイザの位相雑音のパラメータ２０２´と、Ｍｉｘｅｒの直交誤差のパラメータ２０４´とが悪化したとしても、トータルのＥＶＭは変わらない。そこで、受信機１００は、例えば以下の図５に示すように、制御部１４０によって、シンセサイザ１１０及びＭｉｘｅｒ１０６に流す電流を少なくすることにより、トータルのＥＶＭを維持しながら（劣化させずに）、受信機１００の消費電力を低減することができる。
【００３９】
図５は、ＥＶＭパラメータの振り分けの一例を示す図である。図５は、Ｍｉｘｅｒ１０６に流す電流、シンセサイザ１１０に流す電流、及びＬＰＦ１０８のカットオフ周波数の各パラメータをいずれも固定した場合の固定例４５２と、各パラメータを変更した変更例４５４，４５６，４５８を示している。変更例４５４は、隣接チャネルの信号強度が予め設定された閾値より小さく、隣接チャネルが未使用である場合にＬＰＦ１０８のカットオフ周波数を変更した場合の例である。変更例４５６は、変更例４５４の状態から、シンセサイザ１１０の位相雑音の特性の劣化を許容してシンセサイザ１１０に流す電流を削減させた場合の例である。変更例４５８は、変更例４５４の状態から、Ｍｉｘｅｒ１０６の直交誤差の特性の劣化を許容してＭｉｘｅｒ１０６に流す電流を削減させた場合の例である。
【００４０】
まず、固定例４５２では、Ｍｉｘｅｒ直交誤差によるＥＶＭが３．２（％ｒｍｓ）、シンセサイザ位相雑音によるＥＶＭが２．２（％ｒｍｓ）、ＬＰＦ群遅延によるＥＶＭが５．８（％ｒｍｓ）であり、トータルのＥＶＭが７．０（％ｒｍｓ）であるとする。これに対して、変更例４５４では、ＬＰＦ１０８のカットオフ周波数を高くすることにより、ＬＰＦ１０８の群遅延が小さくなった結果、ＬＰＦ群遅延によるＥＶＭが２．９（％ｒｍｓ）になる。つまり、変更例４５４は、固定例４５２に比べて、ＬＰＦ群遅延によるＥＶＭが２．９（％ｒｍｓ）分改善する。よって、トータルのＥＶＭも２．２（％ｒｍｓ）分改善した結果、４．８（％ｒｍｓ）になる。
【００４１】
一方、変更例４５６では、ＬＰＦ群遅延によるＥＶＭの改善分と等価分まで、シンセサイザ１１０の制御電流を削減する。シンセサイザ１１０の制御電流を削減すると、位相雑音などのＥＶＭパラメータが劣化するが、ＬＰＦ１０８でのＥＶＭ改善分を合わせると、トータル的なＥＶＭ値は一定(劣化無し)となるような制御を行う。つまり、シンセサイザ位相雑音によるＥＶＭが３．３（％ｒｍｓ）分悪化して５．５（％ｒｍｓ）になるまでシンセサイザ１１０に流す電流を低減させる。これは、シンセサイザ１１０の位相雑音換算で７．８（ｄＢ）まで特性の劣化を許容することになる。この結果、トータルのＥＶＭは、固定例４５２の場合と同じ値に保ちながら、言い換えるとトータルのＥＶＭを固定例４５２の場合と比べて劣化させずに、シンセサイザ１１０に流す電流を低減させることができる。
【００４２】
また、変更例４５８では、ＬＰＦ群遅延によるＥＶＭの改善分と等価分まで、Ｍｉｘｅｒ１０６の制御電流を削減する。Ｍｉｘｅｒ１０６の制御電流を削減すると、直交誤差などのＥＶＭパラメータが劣化するが、ＬＰＦ１０８でのＥＶＭ改善分を合わせると、トータル的なＥＶＭ値は一定(劣化無し)となるような制御を行う。つまり、Ｍｉｘｅｒ直交誤差によるＥＶＭが２．８（％ｒｍｓ）分悪化して６．０（％ｒｍｓ）になるまでＭｉｘｅｒ１０６に流す電流を低減させる。これは、Ｍｉｘｅｒ１０６の直交誤差ＳＳＢ（Single Side Band）換算で５．５（ｄＢ）まで特性の劣化を許容することになる。この結果、トータルのＥＶＭは、固定例４５２の場合と同じ値に保ちながら、言い換えるとトータルのＥＶＭを固定例４５２の場合と比べて劣化させずに、Ｍｉｘｅｒ１０６に流す電流を低減させることができる。
【００４３】
図６は、制御部の構成を示す図である。図６に示すように、制御部１４０は、プロセッサ１４２、読み出し部１４４、書き込み部１４６、制御テーブル１４８、メモリ１５０、及び選択回路１５２を備える。
【００４４】
プロセッサ１４２は、ＲＳＳＩ検波部１３４から出力された隣接チャネルの信号強度を示すパワー信号１４１を受信する。そして、プロセッサ１４２は、パワー信号１４１で示される隣接チャネルの信号強度に基づいて、Ｍｉｘｅｒ１０６に流す電流値、シンセサイザ１１０に流す電流値、及びＬＰＦ１０８のカットオフ周波数を演算する。プロセッサ１４２は、演算されたＭｉｘｅｒ１０６に流す電流値、シンセサイザ１１０に流す電流値、及びＬＰＦ１０８のカットオフ周波数に基づいて、図２，３に示した真理値表にしたがって制御信号Ｓ１〜Ｓ６を生成して出力する。
【００４５】
読み出し部１４４は、ＲＳＳＩ検波部１３４から出力された隣接チャネルの信号強度を示すパワー信号１４１を受信する。そして、読み出し部１４４は、書き込み部１４６によってメモリ１５０に格納された制御テーブル１４８から、パワー信号１４１で示される隣接チャネルの信号強度に対応するＭｉｘｅｒ制御電流値（Ｍｉｘｅｒ１０６に流す電流値）を読み出す。また、読み出し部１４４は、書き込み部１４６によってメモリ１５０に格納された制御テーブル１４８から、パワー信号１４１で示される隣接チャネルの信号強度に対応するシンセサイザ制御電流値（シンセサイザ１１０に流す電流値）を読み出す。さらに、読み出し部１４４は、書き込み部１４６によってメモリ１５０に格納された制御テーブル１４８から、パワー信号１４１で示される隣接チャネルの信号強度に対応するＬＰＦカットオフ周波数（ＬＰＦ１０８のカットオフ周波数）を読み出す。そして、読み出し部１４４は、読み出されたＭｉｘｅｒ１０６に流す電流値、シンセサイザ１１０に流す電流値、及びＬＰＦ１０８のカットオフ周波数に基づいて、図２，３に示した真理値表にしたがって制御信号Ｓ１〜Ｓ６を生成して出力する。
【００４６】
書き込み部１４６は、制御テーブル１４８をメモリ１５０に書き込む。メモリ１５０は、制御テーブル１４８の他、受信機１００の各種機能を実行するためのデータ、及び各種機能を実行するための各種プログラムが格納される。制御テーブル１４８の詳細は後述する。
【００４７】
選択回路１５２は、選択信号１６２を受信する。選択回路１５２は、受信した選択信号１６２に基づいて、プロセッサ１４２によって演算された制御信号Ｓ１〜Ｓ６又は読み出し部１４４によって読み出された制御信号Ｓ１〜Ｓ６の一方を選択して出力する。
【００４８】
図７は、選択回路における制御信号選択の真理値表の一例を示す図である。図７に示すように、制御信号選択の真理値表１６０は、制御信号Ｓ１〜Ｓ６の選択方法に対応して、選択信号１６２の真理値が設定されている。例えば、選択回路１５２は、選択信号１６２として「０」が入力されたら、プロセッサ１４２によって演算された制御信号Ｓ１〜Ｓ６を出力する。一方、選択回路１５２は、選択信号１６２として「１」が入力されたら、読み出し部１４４によって制御テーブル１４８から読み出された制御信号Ｓ１〜Ｓ６を出力する。
【００４９】
図８は、制御テーブルの一例を示す図である。図８に示すように、制御テーブル１４８は、複数の隣接チャネルパワーモニタ値１６４それぞれに、ＬＰＦカットオフ周波数１６６、シンセサイザ制御電流１６８、及びＭｉｘｅｒ制御電流１７０が対応付けられている。例えば、隣接チャネルパワーモニタ値１６４が△△ｄＢｍ以上○○ｄＢｍ未満の場合は、読み出し部１４４は、ＬＰＦカットオフ周波数１６６として周波数Ｂを読み出し、シンセサイザ制御電流１６８として定電流Ａを読み出し、Ｍｉｘｅｒ制御電流１７０として定電流Ｂを読み出す。
【００５０】
図９は、受信機の制御処理を示すフローチャートである。図９に示すように、まず、ＲＳＳＩ検波部１３４は、ＢＰＦ１３２から出力された隣接チャネルの信号強度（パワー）をモニタする（ステップＳ１０１）。続いて、制御部１４０は、隣接チャネルの信号強度が予め設定された閾値以上であるか否かによって、隣接チャネルが未使用であるか否かを判定する（ステップＳ１０２）。例えば、制御部１４０は、隣接チャネルの信号強度が予め設定された閾値以上であれば、隣接チャネルが使用されていると判定し、隣接チャネルの信号強度が予め設定された閾値未満であれば、隣接チャネルが使用されていないと判定する。
【００５１】
制御部１４０は、隣接チャネルが未使用でないと判定されたら（ステップＳ１０２、Ｎｏ）、ステップＳ１０１へ戻って処理を繰り返す。一方、制御部１４０は、隣接チャネルが未使用であると判定されたら（ステップＳ１０２、Ｙｅｓ）、隣接チャネルの信号強度に応じて、ＬＰＦカットオフ周波数、シンセサイザ制御電流、及びＭｉｘｅｒ制御電流を選択する（ステップＳ１０３）。例えば、制御部１４０は、隣接チャネルの信号強度が□□ｄＢｍ未満の場合は、ＬＰＦカットオフ周波数１６６として周波数Ｃを選択し、シンセサイザ制御電流１６８として定電流Ｃを選択し、Ｍｉｘｅｒ制御電流１７０として定電流Ｃを選択する。
【００５２】
そして、制御部１４０は、選択されたＬＰＦカットオフ周波数、シンセサイザ制御電流、及びＭｉｘｅｒ制御電流と、図２，３の真理値表とに基づいて、制御信号Ｓ１〜Ｓ６を出力する（ステップＳ１０４）。例えば、制御部１４０は、隣接チャネルの信号強度が□□ｄＢｍ未満の場合は、制御信号Ｓ１〜Ｓ６をいずれも「１」に設定して出力する。
【００５３】
続いて、カットオフ選択回路１３０は、制御信号Ｓ５，Ｓ６と、図３の真理値表４００とに基づいて、ＬＰＦ１０８のカットオフ周波数を設定する（ステップＳ１０５）。また、電流選択回路１２０は、制御信号Ｓ３及びＳ４と、図２の真理値表３００とに基づいて、シンセサイザ１１０に流す電流を設定する（ステップＳ１０６）。また、電流選択回路１２０は、制御信号Ｓ１及びＳ２と、図２の真理値表３００とに基づいて、Ｍｉｘｅｒ１０６に流す電流を設定する（ステップＳ１０７）。
【００５４】
制御部１４０は、受信機１００の受信処理が継続されるか否かを判定する（ステップＳ１０８）。そして、制御部１４０は、受信処理が継続されると判定された場合には（ステップＳ１０８、Ｙｅｓ）、ステップＳ１０１へ戻って処理を繰り返す。一方、制御部１４０は、受信処理が継続されない判定された場合には（ステップＳ１０８、Ｎｏ）、処理を終了する。
【００５５】
以上、本実施形態の受信機１００によれば、トータルのＥＶＭを劣化させずに消費電力を低減させることができる。すなわち、受信機１００は、ＬＰＦ１０８のカットオフ周波数を固定にするのではなく、隣接チャネルの受信信号の強度に応じてＬＰＦ１０８のカットオフ周波数を可変に設定する。例えば、受信機１００は、隣接チャネルの受信信号の強度が低くなるにつれて、ＬＰＦ１０８のカットオフ周波数を高く設定する。これにより、ＬＰＦ１０８の群遅延によるＥＶＭが改善される。そして、受信機１００は、このＥＶＭの改善分に相当して、シンセサイザ１１０の位相雑音によるＥＶＭ又はＭｉｘｅｒの直交誤差によるＥＶＭが悪化するまで、シンセサイザ１１０又はＭｉｘｅｒ１０６に流す電流を小さくする。その結果、受信機１００は、トータルのＥＶＭを劣化させずに消費電力を低減させることができる。
【００５６】
また、本実施形態は、主に受信機を中心に説明したが、これに限らず、あらかじめ用意された受信制御プログラムをコンピュータで実行することによって、上述の実施形態と同様の機能を実現することができる。すなわち、受信制御プログラムは、受信機に、無線信号を受信し、前記受信された受信信号の周波数変換を行い、前記周波数変換された受信信号から隣接チャネルの受信信号を抽出し、前記抽出された隣接チャネルの受信信号の強度を計測する処理を実行させる。また、受信制御プログラムは、受信機に、前記計測された隣接チャネルの受信信号の強度に応じて前記周波数変換された受信信号の高周波数帯域を減衰させる減衰部のカットオフ周波数を設定するとともに、該設定されたカットオフ周波数に応じて前記受信された受信信号の周波数変換を行う変換部に流す電流値及び前記周波数変換に用いられる発振信号を生成する発振信号生成部に流す電流値の少なくとも一方を設定する処理を実行させる。なお、受信制御プログラムは、インターネットなどの通信ネットワークを介してコンピュータに配布することができる。また、受信制御プログラムは、受信機に設けられたメモリ、ハードディスク、その他のコンピュータで読み取り可能な記録媒体に記録され、コンピュータによって記録媒体から読み出されることによって実行することもできる。
【符号の説明】
【００５７】
１００  受信機
１０４  ＬＮＡ
１０６  Ｍｉｘｅｒ
１０８  ＬＰＦ
１１０  シンセサイザ
１１４，１１６，１１８  定電流回路
１２０  電流選択回路
１２４，１２６，１２８  カットオフ設定回路
１３４  ＲＳＳＩ検波部
１４０  制御部
１４１  パワー信号
１４２  プロセッサ
１４４  読み出し部
１４８  制御テーブル
１５０  メモリ
１５２  選択回路
【図１】
0005686037.tif 000002
【図２】
0005686037.tif 000003
【図３】
0005686037.tif 000004
【図４】
0005686037.tif 000005
【図５】
0005686037.tif 000006
【図６】
0005686037.tif 000007
【図７】
0005686037.tif 000008
【図８】
0005686037.tif 000009
【図９】
0005686037.tif 000010